(57)【特許請求の範囲】
【請求項１】
表示部と、
撮影に際して一連の撮影条件を前記表示部に一覧表示すると共に、一連の撮影過程において、撮影がなされている撮影条件を前記表示部上で指示する表示を行なう一覧表示手段と、
撮影終了後に前記表示部に表示された一連の撮影条件を記憶する記憶手段と、
前記記憶手段に記憶した一連の撮影条件を読み出し前記表示部に表示する手段と、
フォトタイマと、
前記フォトタイマの信号を受けＸ線の曝射時間を制御するフォトタイマ制御器とを備え、
前記一覧表示手段は、前記一連の撮影過程において、前記表示部にそれぞれの撮影における前記フォトタイマ制御器により制御された実撮影時間を表示することを特徴とするＸ線制御装置。
【発明の詳細な説明】
【０００１】
【発明の属する技術分野】
本発明は、Ｘ線制御装置に関し、特に各種の撮影装置と組合わせるＸ線高電圧装置のＸ線制御装置の撮影条件表示に関する。
【０００２】
【従来の技術】
病院において、受診者が各診療科にて医師の診察を受けた後、医師が必要と思われる検査を各検査室に依頼する。Ｘ線写真撮影もその一つであり必要な撮影部位、方法を書き込んだ検査依頼用紙が発行される。放射線科においてはその検査依頼用紙に書かれた内容に基づいて、技師がＸ線撮影装置を選択する。そして、Ｘ線高電圧装置のＸ線制御装置にて撮影部位、方法によりその放射線科で標準となっているＸ線写真の撮影条件を読み出し、必要であれば被検者に応じて撮影条件を変更しＸ線写真撮影をおこなっている。
【０００３】
近年、放射線の記録を残し管理することが重要視され、Ｘ線写真の撮影条件を記録として残すことが求められており、記録管理することによって被検者の健康を守る上でＸ線被爆量はできる限り低減をするように管理している。
【０００４】
撮影依頼用紙（照射録）の１例は図７に示されているが、撮影依頼用紙の下部に撮影条件記入欄がありＸ線技師が一回撮影ごとに一行づつ記入している。また従来のＸ線制御装置における操作面の構成図は、図８に示すとおりで、Ｘ線制御装置は操作パネル面に、術式選択キー１０１、撮影方式選択キー１０２、撮影焦点選択キー１０３、プリセット選択キー１０６等を備えている。
【０００５】
術式選択キー１０１は、Ｘ線写真撮影に必要なＸ線撮影装置を選択することのできる選択キーである。
【０００６】
撮影方式選択キー１０２は、撮影条件をｋＶ、ｍＡ、ｓｅｃの３条件にて設定するか、２条件で設定するかを決めるための選択キーである。撮影焦点選択キー１０３は、撮影時にＸ線管の小焦点を選ぶか、大焦点を選ぶかを決めるための選択キーである。
【０００７】
プリセット選択キー１０６は、メモリされた撮影条件の設定方式、Ｘ線管焦点の撮影方式、撮影条件等の情報を自動的に選択できるキーである。
【０００８】
放射線科においては技師がその検査依頼用紙に書かれた内容から判断して、まずＸ線制御装置の術式選択キー１０１で、そのＸ線写真撮影に必要なＸ線撮影装置（一般撮影装置、平面ブッキー撮影装置、直接速写撮影装置、立位ブッキー撮影装置、断層撮影装置、イメージインテンシファイア間接速写撮影装置）をキーで選択する。
【０００９】
術式選択キー１０１には、選択する撮影装置のキー毎にＸ線管選択、撮影方式選択、焦点選択、プリセット選択、透視・撮影条件等の情報が記憶されており、それを読み出すことができる。例えば、術式選択キー１０１の一般撮影装置のキーを選択したとすれば、パネル左上のＸ線管図形１１０のＸ線管１またはＸ線管２の選択が自動的に行なわれ選択されたＸ線管番号表示器が点灯する。
【００１０】
次に、撮影方法によりプリセット選択キー１０６を選択する。プリセット選択キー１０６には、撮影条件の設定方式、Ｘ線管焦点、撮影方式、撮影条件等の情報が記憶されておりそれを読み出すことができる。読み出され表示される撮影条件は、一つである。例えば、一般撮影装置で撮影部位として腹部をｋＶ、ｍＡ、ｓｅｃの３条件にて設定した撮影方法では、プリセット選択キー１０６の一つのキーを選択すれば、パネル上部の表示部のｋＶ、ｍＡ、ｍｓのところにその撮影条件が表示される。
【００１１】
撮影条件が適切であればそのままＸ線写真撮影がおこなわれる。変更が必要であれば被検者に応じて撮影条件変更キー（操作パネルの下部の＋−キー）等にて撮影条件を変更したのちＸ線写真撮影を行なうようになっている。
【００１２】
通常、一つの検査に対してＸ線写真撮影はプリセット選択キー１０６を変更して条件を変え複数枚の撮影が行われる。
【００１３】
【発明が解決しようとする課題】
従来のＸ線制御装置は以上のように構成され操作するが、撮影条件表示部に一つの撮影条件しか表示できないので、一つの検査に対して撮影条件表示部の撮影条件を変更したりして撮影操作を行いながら、その都度撮影条件を照射録に書き写している。
【００１４】
また、一般（単純）撮影を行う場合にはフィルムを装填したカセッテの交換作業もあり技師の仕事が繁雑になっている。このことは単純撮影のＸ線写真撮影室での患者の数が多いため誤操作・誤撮影につながりかねない。
【００１５】
さらに、Ｘ線撮影フィルムの黒化度を一定に保つためにホトタイマを用いて撮影を行う場合には、実測撮影時間は設定した撮影時間よりも短くなるのが普通であり、設定した撮影条件と実撮影条件とは異なる等という問題があった。
【００１６】
本発明は、このような事情に鑑みてなされたものであって、ホトタイマ撮影も考慮して撮影部位、方法等の検査項目毎に、患者の撮影後の一連の撮影条件の履歴一覧表等がＸ線制御装置の表示画面に表示され、一度に記録することができ、撮影検査を効率的に行なうことができるＸ線制御装置を提供する。
【００１７】
【課題を解決するための手段】
上記課題を解決するためになされた請求項１の発明にかかるＸ線制御装置では、表示部と、撮影に際して一連の撮影条件を前記表示部に一覧表示する一覧表示表示手段と、撮影終了後に前記表示部に表示された一連の撮影条件を記憶する記憶手段と、前記記憶手段に記憶した一連の撮影条件を読み出し前記表示部に表示する手段と、フォトタイマと、前記フォトタイマの信号を受けＸ線の曝射時間を制御するフォトタイマ制御器とを備え、前記一覧表示手段は、前記一連の撮影過程において、前記表示部にそれぞれの撮影における前記フォトタイマ制御器により制御された実撮影時間を表示することを特徴とする。
【００１８】
【発明の実施の形態】
図１は本発明のＸ線制御装置の一実施例を示している。すなわち、Ｘ線制御装置２０は、マイクロコンピュータ２１、カラー液晶表示器２４、タッチセンサー２５、等で構成されており、術者による術式、撮影焦点、撮影方式、透視・撮影条件および各種設定の記憶・変更はこれらにより制御されている。
【００１９】
マイクロコンピュータ２１は、プログラムメモリ３０に書かれたプログラムをＣＰＵバスライン３１を経て、中央演算装置（以下ＣＰＵと呼ぶ）３５に読み込み、読み込まれたこのプログラムに従って動作する。ＣＰＵバスライン３１にはタッチセンサー入力回路４６、グラフックディスプレイコントローラ（以後、ＧＤＣと呼ぶ）４２、カラーパレット４１、部位・方法項目表示メモリ３７、撮影条件表示メモリ３９、履歴条件記憶メモリ３３、時計用ＩＣ２６が接続されている。ＧＤＣ４２には、ＧＤＣバスライン３２を介して映像情報を記憶するビデオメモリ、３６、漢字メモリ４３が接続されている。
【００２０】
プログラムメモリ３０には、プログラムの他に部位・方法項目、撮影条件表示時の表示画面構成の描画情報等も記憶されている。部位・方法項目表示メモリ３７には、カラー液晶表示器２４の表示画面の上に表示するＸ線写真撮影の検査項目に対応した部位・方法項目表示を据付時に画面上に作成したものを記憶している。撮影条件表示メモリ３９には、撮影術式、撮影方式、焦点選択、一連の撮影条件等の情報を各部位・方法の項目毎に記憶している。
【００２１】
履歴条件記憶メモリ３３には、撮影時刻、一連の実撮影条件等の情報を撮影の順に記憶している。
【００２２】
この部位・方法項目表示メモリ３７、撮影条件表示メモリ３９、履歴条件記憶メモリ３３は電気的に書き込み可能な読みだし専用メモリ（以下ＥＥＰＲＯＭと呼ぶ）であり電源が遮断されても記憶は保持されている。時計用ＩＣ２６は、発信器２８と電池２７に接続されて履歴条件用撮影時刻を刻んでいる。
【００２３】
ＣＰＵ３５が、プログラムメモリ３０に書かれたプログラムに従ってＧＤＣ４２を制御し、ＧＤＣバスライン３２を経て、ビデオメモリ３６上に図形・線画、文字の映像情報を書き込む。漢字文字の映像情報は、漢字メモリ４３より読み出される。ビデオメモリ３６上に書き込まれた図形・線画、文字の映像情報は、また読み出されて出力されカラーパレット４１を経て色付けされて映像信号となりカラー液晶表示器２４に出力され表示される。
【００２４】
色付けの色はカラーパレット４１に書き込まれる情報により決定されＣＰＵ３５により書き変えることができる。タッチセンサー２５からの信号は、タッチセンサー入力回路４６により位置信号に変換されてＣＰＵ３５に入力される。
【００２５】
図２、図３は、Ｘ線制御装置の撮影部位・方法選択時の操作面及び撮影時における操作面の構成図を示しているが、図２に示された部位・方法項目の名称表示は、据付時に据付された病院および診療科に応じて設定され部位・方法項目表示メモリ３７に書き込まれ記憶されている。
【００２６】
撮影時における操作面には、図３に示すように診療科の標準となっている一連の撮影条件が一覧表示されている。この撮影条件も同様に据付時に据付された病院および診療科に応じて設定され部位・方法項目ごとに診療科の標準となっているＸ線写真の一連の撮影条件が投入され記憶されている。
【００２７】
使用時には、カラー液晶表示器２４の表示画面の上に、図２の撮影部位・方法の項目が表示されており、医者が発行したＸ線写真撮影の検査依頼用紙に基づいて対応する撮影部位・方法の項目を術者が押し選択する。
【００２８】
ここでは胸部５方向５７が選択されたものとする。タッチセンサー２５からの位置信号がＣＰＵ３５に入力され、プログラムメモリ３０からＸ線写真撮影時の表示画面構成の描画の映像情報が読み出され、ＧＤＣ４２、ＧＤＣバスライン３２を経てビデオメモリ３６に書き込まれる。また項目毎の位置信号からどの項目か判断され、撮影条件表示メモリ３９から選択された撮影部位・方法の項目に対応した撮影術式、撮影方式、焦点選択、一連の撮影条件等の情報が読み出され、映像情報に変換されビデオメモリ３６に書き込まれる。このビデオメモリ３６の内容が映像信号に変換されてカラー液晶表示器２４に出力され表示される。胸部５方向の５つの撮影条件が中央部に一覧表示されるとともにその中で現在選択されている撮影方向（正面）が□の枠で囲まれ撮影条件が撮影条件表示部に表示される。ここではホトタイマ撮影が設定され、５１が選択表示されている。
【００２９】
次に、撮影条件が自動的に設定変更されながら一連のＸ線写真撮影が行われていく撮影動作および履歴表示について説明する。
【００３０】
図１において、設定表示された管電流ｍＡ、管電圧ｋＶがそれぞれＤ／Ａ変換器６０、Ｄ／Ａ変換器６１を通してインバータ制御回路１５に出力されスイッチング周波数が決められる。また、フィラメント電流値が読みだされ図示しないフィラメント加熱回路に送られ、Ｘ線管５のフィラメントが加熱される。
【００３１】
また、Ｄ／Ａ変換器６２から濃度設定信号１２がホトタイマ制御器１０に出力されている。
【００３２】
ホトタイマ撮影の場合、撮影条件として設定された撮影時間はバックアップとなりホトタイマに対するバックアップ撮影時間としてタイマ６６に設定される。図示しないＸ−ＲＡＹ操作スイッチが押されるとＸ線操作信号９１が、Ｘ線放射基本回路１３へ出力され、Ｘ線放射信号１４がインバータ制御回路１５に入力して、設定された撮影条件にて高圧発生器４からＸ線管５へ高圧が印加され、Ｘ線管５よりＸ線が曝射される。被写体６を透過したＸ線をフィルム２に写すと共にＸ線蛍光パネル８で捕え、光量をホトマル９で電気信号に変換する。ホトマル９からの光電流はホトタイマ制御器１０の光電流積分器で積分され、積分信号が濃度設定信号１２に到達するとＸ線遮断信号１１がＸ線放射基本回路１３に送られＸ線が遮断される。
【００３３】
個々の被写体に対応して、Ｘ線の曝射時間が自動的に制御されフィルム２に一定量のＸ線が到達することにより黒化度が一定になり良質な写真が得られる。
【００３４】
通常、このＸ線曝射時間は設定した撮影時間よりも短くなり、実撮影時間がタイマ６６より読み出される。さらに、撮影時刻も時計用ＩＣ２６より読み出され撮影時刻と前記設定管電圧、管電流と実撮影時間が、Ｘ線放射条件として履歴条件記憶メモリ３３に記憶される。
【００３５】
一枚のＸ線撮影が終了すると、中央部の撮影条件一覧表示の中で終了した条件の先頭に印が付き、履歴条件記憶メモリ３３からこのＸ線放射条件が読み出されＸ線放射条件の表示に変更される。
【００３６】
図４では、□の枠が次の撮影方向（右側面）に移動し、撮影条件表示部がこの右側面の条件に変更表示される。
【００３７】
被写体の向きを変え、カセッテ撮影の場合であればここで撮影装置のカセッテを交換し、２枚目の撮影準備を行い準備終了後、前述と同様にＸ−ＲＡＹ操作スイッチを押し撮影操作を行い２枚目の撮影を終了する。
【００３８】
この操作を５回繰り返し胸部５方向の撮影が終了する。
【００３９】
図５は終了時の操作面を示しているが、ここで撮影がすべて正常に終了しておれば、この画面にて一覧表示された実撮影条件をまとめて前記撮影依頼用紙（照射録）の撮影条件欄に書き込み放射線科の検査は終了する。図５の場合においては、左側面の実撮影条件の実撮影時間が極端に短く、何らかの異常があったと考えられ、その箇所のみ再撮影を行う必要があると判断される。この場合は、撮影条件自動送りキー５０を押して条件自動送りを停止し、手動操作にて△▽キー５４を押して左側面文字の部分に□を移動し再選択する。前述のごとくカセッテ等の準備を終了し再撮影を行い、異常がなければＸ線放射条件を書き写し検査を終了する。また、Ｘ線放射条件等の書き写しを忘れて別の検査画面に変更した後でも履歴５３の箇所に触れると、図６の履歴撮影条件表示時の操作面になり撮影した時刻とその時の実撮影条件が表示され、撮影した時刻により△▽キー５４にて検索して表示し、まとめて前記撮影依頼用紙（照射録）にＸ線放射条件を書き込むことができる。
【００４０】
このようにして、まとめて前記撮影依頼用紙（照射録）に書き込むことができるため迅速な検査が行える。このＸ線制御装置は上記のようにデータのデジタル管理をしているので、放射線情報管理システム９０を導入している病院等では、ＲＳ２３２Ｃ通信回路６７による通信を利用して撮影依頼用紙（照射録）を介さず直接撮影条件等を転送することもできる。
【００４１】
以上は大型表示画面にカラー液晶表示器２４を使用した実施例であるが、この自由な表示ができる大型表示画面は、ＴＶモニターでも良い。モニターの奥行きはあるが明るい画面を観察することができる。また、大きなサイズを必要とするならばエレクトロルミネッセンスによるパネルでも良い。
【００４２】
【発明の効果】
本発明のＸ線制御装置は上記のように構成されており、一人の患者に対して一連のＸ線写真撮影を行ったのち、まとめて撮影依頼用紙（照射録）に撮影条件を書き込むことができるので撮影検査が迅速に行え、また、撮影条件の不具合等が発見でき再撮影時に参考として利用できる。
【００４３】
さらに、このように正確に記録管理をすることにより、患者の被曝量を正確に把握し、必要以上にＸ線を浴びないようにして診断をすることができる。
【図面の簡単な説明】
【図１】本発明のＸ線制御装置の実施例を示す構成図である。
【図２】Ｘ線制御装置の撮影部位・方法選択時の操作面を示す図である。
【図３】Ｘ線制御装置の撮影時における操作面を示す図である。
【図４】Ｘ線制御装置の撮影時途中における操作面を示す図である。
【図５】Ｘ線制御装置の撮影終了時の操作面を示す図である。
【図６】Ｘ線制御装置の履歴撮影条件表示時の操作面の構成図である。
【図７】撮影依頼用紙（照射録）の１例を示す図である。
【図８】従来のＸ線制御装置の操作面の図を示す。
【符号の説明】
２  フィルム
４  高圧発生器
５  Ｘ線管
６  被写体
８  Ｘ線蛍光パネル
９  ホトマル
１０  ホトタイマ制御器
１３  Ｘ線放射基本回路
１５  インバータ制御回路
２０  Ｘ線制御装置
２１  マイクロコンピュータ
２４  カラー液晶表示器
２５  タッチセンサー
２６  時計用ＩＣ
２７  電池
２８  発信器
３０  プログラムメモリ
３３  履歴条件記憶メモリ
３５  ＣＰＵ
３６  ビデオメモリ
３７  部位・方法項目表示メモリ
３９  撮影条件表示メモリ
４１  カラーパレット
４２  ＧＤＣ
４３  漢字メモリ
４６  タッチセンサー入力回路
６０  Ｄ／Ａ変換器
６１  Ｄ／Ａ変換器
６２  Ｄ／Ａ変換器
６６  タイマ
６７  ＲＳ２３２Ｃ通信回路
【図１】
0003597677.tif 000002
【図２】
0003597677.tif 000003
【図３】
0003597677.tif 000004
【図４】
0003597677.tif 000005
【図５】
0003597677.tif 000006
【図６】
0003597677.tif 000007
【図７】
0003597677.tif 000008
【図８】
0003597677.tif 000009